(57)【要約】【課題】硬貨放出装置において、障害物を付着しようとする者の行為を防止する。【解決手段】硬貨を払い出す払出装置からの硬貨を受け取り、下方へ移送する硬貨シューター、硬貨シューターの終端に設けた、移送された硬貨を受け取る硬貨受け皿、硬貨受け皿上方に設けたカバー、を有する硬貨放出装置において、硬貨シューターの終端部に、硬貨放出方向のみに回動可能な揺動板を設けるとともに、硬貨シューター終端と硬貨受け皿の間に、硬貨シューター終端の方がカバー先端より高いか、略同じ高さになるように、段差を設ける。【選択図】図２
2014135001.tif 000002
【特許請求の範囲】
【請求項１】
硬貨を払い出す払出装置からの硬貨を受け取り、下方へ移送する硬貨シューター、前記硬貨シューターの終端に設けた、移送された硬貨を受け取る硬貨受け皿、前記硬貨受け皿上方に設けたカバー、を有する硬貨放出装置において、前記硬貨シューターの終端部に、硬貨放出方向のみに回動可能な揺動板を設けたことを特徴とする硬貨放出装置。
【請求項２】
硬貨を払い出す払出装置からの硬貨を受け取り、下方へ移送する硬貨シューター、前記硬貨シューターの終端に設けた、移送された硬貨を受け取る硬貨受け皿、前記硬貨受け皿上方に設けたカバー、を有する硬貨放出装置において、前記硬貨シューター終端と前記硬貨受け皿の間に、硬貨シューター終端の方がカバー先端より高いか、略同じ高さになるように、段差を設けたことを特徴とする硬貨放出装置。
【請求項３】
硬貨を払い出す払出装置からの硬貨を受け取り、下方へ移送する硬貨シューター、前記硬貨シューターの終端に設けた、移送された硬貨を受け取る硬貨受け皿、前記硬貨受け皿上方に設けたカバー、を有する硬貨放出装置において、前記硬貨シューターの終端部に、硬貨放出方向のみに回動可能な揺動板を設けるとともに、前記硬貨シューター終端と前記硬貨受け皿の間に、硬貨シューター終端の方がカバー先端より高いか、略同じ高さになるように、段差を設けたことを特徴とする硬貨放出装置。
【請求項４】
請求項１に記載の硬貨放出装置であって、前記揺動板が全開時にも、前記カバーとの間に空間を有することを特徴とする硬貨放出装置。
【請求項５】
請求項１に記載の硬貨放出装置であって、前記揺動板と、前記カバー４０との、硬貨進行方向を含む鉛直断面の形状が近似していることを特徴とする硬貨放出装置。
【発明の詳細な説明】
【技術分野】
【０００１】
本発明は、硬貨放出装置、特に、乗車券などの自動券売機の釣銭硬貨放出の際に、チューイングガム（以下ガム）などの粘着性障害物を用いて硬貨を滞留させ、詐取することを防止できる硬貨放出装置に関する。
【背景技術】
【０００２】
鉄道会社などの、乗車券類を自動で販売する自動券売機は、広汎に普及している。その使用に際して、購入する乗車券類の券面金額より多い金額の紙幣または硬貨を投入した場合に、釣銭硬貨を放出する機能は、欠くことができないものである。
【０００３】
しかしながら、硬貨放出に際して、悪意を持って、その放出ルートに、ガムまたは粘着テープのような障害となるものを付着し、放出時の釣銭硬貨の一部を滞留させ、利用者が立ち去った後に滞留した硬貨を詐取する犯罪行為が頻発している。
【０００４】
このための対策として、例えば、特許文献１にあるような硬貨放出口付近に透明なカバーを設けて、障害物の付着を防止する技術思想が開示されている。
【０００５】
しかしながら、この方法によっては、比較的容易に硬貨放出口の内部に手指を進入させることができ、障害物を付着しようとする者の行為を防止するには十分とは言えなかった。
【先行技術文献】
【特許文献】
【０００６】
【特許文献１】特開２００１−１９５６２６号公報
【発明の概要】
【発明が解決しようとする課題】
【０００７】
解決しようとする問題点は、硬貨放出装置において、釣銭を詐取する目的で、ガムなどの粘着性障害物を付着しようとする者の行為を十分には防止できない点である。
【課題を解決するための手段】
【０００８】
第１の本発明は、硬貨を払い出す払出装置からの硬貨を受け取り、下方へ移送する硬貨シューター、硬貨シューターの終端に設けた、移送された硬貨を受け取る硬貨受け皿、硬貨受け皿上方に設けたカバー、を有する硬貨放出装置において、硬貨シューターの終端部に、硬貨放出方向のみに回動可能な揺動板を設けたことを特徴とする。
【０００９】
これによって、硬貨受け皿側から手指を進入させ、硬貨シューターに障害物を設置しようとしても、カバーに手指の動く範囲を規制され、更に、揺動板によって手指の進入が妨げられ、障害物の付着ができなくなるという効果がある。
【００１０】
また、第２の本発明は、硬貨を払い出す払出装置からの硬貨を受け取り、下方へ移送する硬貨シューター、硬貨シューターの終端に設けた、移送された硬貨を受け取る硬貨受け皿、硬貨受け皿上方に設けたカバー、を有する硬貨放出装置において、硬貨シューター終端と硬貨受け皿の間に、硬貨シューター終端の方がカバー先端より高いか、略同じ高さになるように、段差を設けたことを特徴とする。
【００１１】
これによって、硬貨受け皿側から、手指を進入させ、硬貨シューターに障害物を設置しようとしても、カバーに手指の動く範囲を規制され、その範囲では、段差の部分までしか到達できず、硬貨シューターには障害物の付着をすることはできなくなる。
【００１２】
更に、第３の本発明では、硬貨を払い出す払出装置からの硬貨を受け取り、下方へ移送する硬貨シューター、硬貨シューターの終端に設けた、移送された硬貨を受け取る硬貨受け皿、硬貨受け皿上方に設けたカバー、を有する硬貨放出装置において、硬貨シューターの終端部に、硬貨放出方向のみに回動可能な揺動板を設けるとともに、硬貨シューター終端と硬貨受け皿の間に、硬貨シューター終端の方がカバー先端より高いか、略同じ高さになるように、段差を設けたことを特徴とする。
【００１３】
これによって、揺動板、段差のそれぞれ単独の場合よりも、より強力な障害物付着防止効果が得られる。
【００１４】
更に、第４の本発明では、第１の本発明の硬貨放出装置であって、揺動板が全開時にも、カバーとの間に空間を有することを特徴とする。
【００１５】
これによって、揺動板またはカバーに両面テープのような粘着物を付着させて揺動板を全開に保ち、硬貨シューターにアクセスしやすくする行為が防止できる。
【００１６】
更に、第５の本発明では、第１の本発明の硬貨放出装置であって、揺動板と、カバーとの、硬貨進行方向を含む鉛直断面の形状が近似していることを特徴としている。そのため、揺動板が開状態において、その開角度を大きく取ることができ、寸法の大きな硬貨であってもスムーズに通過することができる。
【発明の効果】
【００１７】
本発明の硬貨放出装置では、硬貨放出時に、放出される硬貨のエネルギーで揺動板を押し開け、硬貨シューターと硬貨受け皿の間の段差を介して硬貨が放出されるため、特に複雑な機構やセンサなどを設けなくとも、簡便に、障害物の付着によるトラブルを防止することができるという利点がある。
【図面の簡単な説明】
【００１８】
【図１】本発明の一実施形態に係る硬貨放出装置を内蔵した自動券売機の説明図である。
【図２】本発明の一実施形態に係る硬貨放出装置を示した説明図である。
【図３】図２の硬貨放出装置の一部の部品を取り除いた説明図である。
【図４】図２の硬貨放出装置の硬貨シューターを示した説明図である。
【図５】図２の硬貨放出装置の揺動板をを含む組み立て品を示した説明図である。
【図６】図５に示す揺動板と回転軸との関係を示す断面図である。
【図７】図５に示す揺動板の保持金具を示した説明図である。
【図８】図２の硬貨放出装置の、硬貨シューター中央部での断面図である。
【図９】図２の硬貨放出装置の、揺動板とカバーの関係を示す水平断面図である。
【図１０】本発明の一実施形態に係る硬貨放出装置の変形例を示す、硬貨シューター中央部での断面図である。
【発明を実施するための形態】
【００１９】
図１は本発明装置の一実施形態に係る硬貨放出装置を内蔵した自動券売機の説明図である。自動券売機には、上部に表示部２、操作ボタン３、下部に紙幣挿入口４，カード挿入口５、紙幣出口６、乗車券出口７が設けられ、その内部にはそれぞれの機能を有する装置が内蔵されている。更に、硬貨投入口８、硬貨放出口９が設けられ、その内部には、図示しないが、硬貨受入装置、硬貨払出装置、更に、硬貨放出装置１が、内蔵されいている。これらの操作部及び内蔵装置によって、紙幣・硬貨・カードを使用して、乗車券などを購入するほか、様々な機能を実現しており、また、硬貨の釣銭がある場合には、硬貨払出装置から払い出された釣銭を、硬貨放出装置１を用いて、利用者に受け取らせるように放出することができるようになっている。なお、放出される硬貨は、釣銭だけでなく、支払、返金、両替など、種々の用途のものがある。また、内蔵の硬貨受入装置、硬貨払出装置については、その機能を一体化したものである場合もある。
【００２０】
図２は本発明の一実施形態に係る硬貨放出装置１を示した説明図であり、硬貨放出装置１を自動券売機から取り外して、自動券売機内部側から見た図となっている。また、図３は、図２の硬貨放出装置１から、一部の部品（後述する硬貨放出装置本体１０とカバー４０）を取り除いた状態を示した説明図であり、以下、両方の図面により詳しく説明する。
【００２１】
ここで、図示しない硬貨払出装置の本体から払い出された硬貨を、硬貨払出装置の接続部１０１から硬貨放出装置１に送り込むようになっている。
【００２２】
硬貨放出装置１の一部である硬貨放出装置本体１０は、硬貨放出装置１を券売機に装着するため、また、硬貨放出装置１の各部分を保持し、更に、放出硬貨の移送経路の一部を形成するようになっている。硬貨放出装置本体１０の内部には、硬貨シューター２０が設けられている。
【００２３】
硬貨シューター２０の終端部分の上方には、揺動板３０が設けられている。更に、硬貨シューター２０の終端部から先の空間を、硬貨放出方向の前方に膨出した形状で、硬貨放出装置本体１０に、カバー４０が取り付けられている。
【００２４】
更に、硬貨シューター２０の終端部に近接して、硬貨受け皿５０が設けられている。硬貨受け皿５０は、図１にも示すように、券売機の正面（利用者側）から見て右側にある硬貨シューター２０の終端部に近接して設けられ、券売機正面から見て右上方に、カバー４０が配されている。なお、これらの位置関係は、券売機の用途等で異なる場合もある。
【００２５】
カバー４０の下端は、硬貨受け皿５０の上縁部の近くまで延伸している。硬貨受け皿５０の底面部は、放出された硬貨を利用者が取り出しやすい曲面形状を有している。
【００２６】
なお、通常の状態では、硬貨放出装置本体１０、硬貨シューター２０は、券売機内部に収容され、カバー４０、硬貨受け皿５０が券売機外部に、揺動板３０がほぼ券売機内部と外部の境界あたりに設けられることになる。
【００２７】
図４は、図２に示す硬貨放出装置１の硬貨シューター２０を示した説明図である。硬貨シューター２０の材質は、金属の薄板製がコストなどの点で好ましいが、それに限定されるものではなく、金属鋳造品や樹脂製であってもよい。硬貨シューター２０の形状は、硬貨払出装置の接続部１０１の側が開放されて、接続部１０１に連結されるようになっていて、接続部１０１からの硬貨が直進する方向に壁面２０１が設けられ、硬貨放出装置本体１０と一体となって、外部に硬貨が散逸しないように、硬貨の移送経路を形成し、その移送経路は、水平方向に略９０度曲がり、かつ、硬貨を下方に案内するスロープ２０２を有する形状となっている。なお、スロープ２０２は、図示するように、硬貨の進行方向に対して直角の断面が、下に凸の略円弧状をしており、汚れた硬貨についても良好な滑り性能を発揮できるようになっている。
【００２８】
図５は、図２に示す硬貨放出装置１の揺動板３０を含む組み立て品を示した説明図である。硬貨シューター２０の終端部分の上方に、揺動板３０が設けられている。揺動板３０は、硬貨シューター２０のスロープ２０２の終端部分の上方に設けられ、その上部を回転軸３０１に連結されている。回転軸３０１は、保持金具３０２に設けられた図示しないハウジングとベアリングに保持されて、埃によるトラブルの発生を抑えるとともに、スムーズな回動を実現している。この保持金具３０２は硬貨シューター２０に固定されており、揺動板３０、回転軸３０１、保持金具３０２を含む組み立て品一式が、交換時に容易に脱着可能となっている。
【００２９】
図６は、図５に示す揺動板３０と回転軸３０１との関係を示す断面図であり、揺動板３０と回転軸３０１との固定方法は、回転軸３０１をＤ字状にカットした個所で、揺動板３０を、皿ねじ３０３によって固定するようにした。このようにすると、回転軸回りのモーメントが小さくなり、揺動板３０の回動がスムーズになされる。なお、皿ねじ３０３の緩み防止にはねじロックを用いればよい。
【００３０】
図７は、図５に示す揺動板３０の保持金具３０２を示した説明図であり、揺動板３０の硬貨放出と逆方向への動きは、この保持金具３０２の下端部Ｔによって阻止される。
【００３１】
揺動板３０は、回動のための負荷の少ない軽量のプラスチック製で、特に、硬貨の衝突への耐衝撃性、及び屋外設置の場合の耐候性に優れたポリカーボネート樹脂とする。かつ、硬貨シューター２０内部が目視でき、障害物が付着された場合も見えやすいように透明なものとするが、これに限定されない。他の樹脂製や金属製やゴム製のもの、あるいは不透明なものであっても、寿命、遮蔽効果などの点から使用できることもある。
【００３２】
なお、揺動板３０の停止位置における、硬貨シューター２０及び硬貨放出装置本体１０とで形成する開口部と、揺動板３０との間の空隙は、揺動板３０の形状を開口部形状に近づけることにより、極めて小さくなっている。
【００３３】
図８は、図２の硬貨放出装置１の、揺動板３０、硬貨シューター２０及びカバー４０の関係を示す、硬貨シューター中央部での断面図である。ここで、回転軸３０１に取り付けられた揺動板３０は、通常時は、自重によりほぼ鉛直方向に向いて、その底部をスロープ２０２の終端部分に近接した状態で停止している。この揺動板３０は、硬貨放出方向には回動可能であるが、その逆方向には、揺動板３０の保持金具３０２の下端部Ｔと揺動板３０が密着することによって、回動が阻止されるため、硬貨放出方向のみに回動可能となっている。
【００３４】
また、図２に示すように、硬貨シューター２０の終端部から先の空間を、硬貨放出方向前方に膨出した形状で、カバー４０が設けられている。カバー４０は、揺動板３０などを保護し、また、利用者の手指の進入をある程度阻止するようになっている。また、硬貨の残留などを目視で確認できるよう、透明な部材でできている。ここで、図８に示すように、揺動板３０とカバー４０とは、硬貨進行方向を含む鉛直断面の形状が近似している。近似とは、揺動板３０が全開の状態で、前記断面において、揺動板３０とカバー４０との間隔が、略均等になることを言う。そのため、揺動板３０が、開状態において、その開角度を大きく取ることができる。
【００３５】
なお、硬貨シューター２０のスロープ２０２の終端部と、硬貨受け皿５０の底部との間には、段差を設ける。硬貨シューター２０の終端部の方が高く、硬貨受け皿５０の底部の方が低くなっている。硬貨シューター２０とカバー４０との関係では、硬貨シューター２０の終端部の方がカバー先端より高いか、略同じ高さになるようにする。ここで、略同じ高さとは、硬貨シューター２０の終端部とカバー先端部の高さが同等であるか、硬貨シューター２０の終端部の方がやや低い場合も含むものとする。この段差部分は、薄い板状のゴム製のスぺーサ６０を埋め込み、空隙をなくしている。ここで、スペーサ６０の材質は、形状の自由度などの点から、ゴム製としたが、それに限定されず、樹脂製や金属製であってもよい。
【００３６】
図９は、図２の硬貨放出装置１の、揺動板３０の高さ方向で中央部付近の、揺動板３０とカバー４０の関係を示す水平断面図である。ここに示すように、揺動板３０は、直っすぐな板状の断面を有しているが、カバー４０は弧状に湾曲しており、しかも、揺動板３０が閉鎖位置（図中で最上方の場合）から、全開位置（図中で、最下方の場合）に移動した場合には、カバー４０の弧の部分と点または線接触することとなる。このようにして、揺動板３０が全開時であっても、空間Ｋが確保されることになる。図８にも同じ空間Ｋを示している。
【００３７】
このような構成の硬貨放出装置１の動作について説明する。
【００３８】
図示しない硬貨払出装置から図３に示す矢印方向に払い出された硬貨は、接続部１０１を経由して、硬貨シューター２０の、接続部１０１から見て直進方向の壁面に衝突する。この壁面は、ゴムなどの衝撃緩衝部材を設けておらず、金属材料のままであるため、エネルギーを減じることなく、硬貨シューター２０にガイドされて、硬貨は下方へと向かう。
【００３９】
下方に向かった硬貨は、硬貨シューター２０のスロープ２０２に沿って、速度をあまり減じることなく、硬貨シューター２０の終端部へと移送される。
【００４０】
続いて、硬貨は、硬貨シューター２０の終端部に設けられた揺動板３０に到達し、その勢いにより、揺動板３０を進行方向に押し開けて、硬貨受け皿５０方向へと向かう。
【００４１】
ここで、揺動板３０とカバー４０の硬貨進行方向を含む鉛直断面の形状が近似しているため、揺動板３０の開角度すなわち、硬貨の通過できる空間を大きくすることができ、寸法の大きい、例えば５００円硬貨（図８でＣで示す）などもスムーズに通過をすることができる。
【００４２】
次に、揺動板３０を通過した硬貨は、硬貨受け皿５０に放出され、利用者によって取り出されるのを待つことになる。また、揺動板３０は、硬貨通過後は、自重により、元の鉛直位置に戻って停止する。
【００４３】
利用者は、硬貨受け皿５０に放出された硬貨を受け取って、操作を終了することになる。その際に、透明なカバー４０を通して硬貨受け皿５０に残留している硬貨がないかどうかの確認をすることができる。
【００４４】
一方、悪意で硬貨詐取を試みる者は、硬貨シューター２０にガムなどの粘着性の障害物を付着しようとする。そのために、硬貨受け皿５０から手指を進入させるが、カバー４０の下端が硬貨受け皿５０の上縁部の近くまで延伸しており、かつ、硬貨シューター２０の終端部の方がカバー４０の先端部より高いか、略同等の高さであるため、硬貨シューター２０の方に自由に接近することはできない。
【００４５】
更に、その高さで手指を進めていくと、硬貨シューター２０と硬貨受け皿５０との段差部分のゴム製スペーサ６０に突き当たってしまう。従って、硬貨シューター２０の硬貨放出面に到達できず、粘着物を付着することは困難である。
【００４６】
巧みに手指を動かして、突き当たってから上方に手指を延伸させたとしても、硬貨放出方向のみに回動する揺動板３０によって硬貨シューター２０は閉鎖されており、かつ、硬貨シューター２０の開口部と揺動板３０との間の空隙は微少になっており、手指によってこじ開けることは困難である。
【００４７】
また、詐取を試みる者が、揺動板３０の硬貨受け皿５０側に、あるいは、カバー４０の内面側に、両面接着テープのような粘着物を付着させ、揺動板３０全開時に、その粘着物によって、揺動板３０とカバー４０を固着させ、揺動板３０を全開状態のまま保ち、硬貨シューター２０に容易にアクセスできるようにする、ということを企図したとしても、図９に示すごとく、揺動板３０とカバー４０との間には空間Ｋがあり、揺動板３０とカバー４０は点または線接触であるため密着せず、そのような事態は避けることができる。
【００４８】
このように構成することによって、硬貨放出装置において、硬貨放出の機能に支障を与えることなく、硬貨の詐取の試みを阻止することができ、その効果は極めて大きい。
【００４９】
なお、本発明の説明において、硬貨シューター２０の形状を、硬貨払出装置からの硬貨を受け入れて、平面上で略９０度、硬貨の進行方向を変えるように説明したが、この構造には限定されず、直進または任意の角度で方向を変えるようにしてもよい。
【００５０】
また、本発明の説明において、硬貨払出装置からの硬貨が衝突する壁面について、衝撃吸収部材を設けないと説明したが、硬貨のエネルギーが十分大きく、揺動板３０を押し開けることができる場合は、衝撃吸収部材を設けてもよい。騒音低下などの利点はある。
【００５１】
また、本発明の説明において、揺動板３０について、上方を回転の中心として揺動するように説明したが、揺動板３０の左方、または右方に回転中心を持ってもよい。硬貨放出装置の設置形態によっては、好ましい場合もありうる。更には、下方を回転の中心としてもよい。その場合は、押し開けた揺動板が、硬貨をガイドするように機能することもあり得る。
【００５２】
また、本発明の説明において、揺動板３０と回転軸３０１との固定方法は、Ｄ字状カットと皿ねじを用いるとしたが、これに限定されるものではなく、周知のいかなる方法によってもよい。例えば、揺動板３０側にねじ穴を設け、回転軸３０１の両側をカットし、揺動板３０側とは反対側から、雄ねじまたはボルトにて固定する方法でもよい。
【００５３】
また、本発明の説明において、揺動板３０について、硬貨放出と逆方向の回動は、揺動板３０の保持金具３０２の下端部と揺動板３０が密着することによって、回動が阻止されるとしたが、それに限定されず、揺動板３０の底部が、硬貨シューター２０のスロープ２０２に接触することによって阻止されてもよく、また、揺動板３０を別の部材と当接させることで、逆方向の回動を阻止してもよい。揺動板３０と保持金具３０２よりも円滑に、阻止及び阻止の解除ができることも考えられる。
【００５４】
例えば、図１０に示すように揺動板３０を下方に延伸させ、硬貨シューター２０のスロープ２０２の終端部と、硬貨受け皿５０の上縁部との間の落差に埋め込まれたゴムスぺーサ６０の表面上部を削り込み、その場所で、揺動板３０の下部を接触させるようにしてもよい。このようにすれば、揺動板３０の硬貨シューター２０側への回動は、ゴムスペーサ６０によって阻止され、一方、詐取を試みようとする者による揺動板３０へのアクセスは、ゴムスペーサ６０を削り込んでいることから、容易ではない。
【００５５】
また、本発明の説明において、硬貨シューター２０と硬貨受け皿５０の段差、及び、硬貨シューター２０の終端部に設けた揺動板３０、の両方を設けることとしているが、段差のみ、あるいは、揺動板３０のみでも、詐取防止効果を発揮することはできる。
【符号の説明】
【００５６】
１    硬貨放出装置
１０  硬貨放出装置本体
２０  硬貨シューター
３０  揺動板
４０  カバー
５０  硬貨受け皿
６０  スペーサ
【図１】
2014135001.tif 000003
【図２】
2014135001.tif 000004
【図３】
2014135001.tif 000005
【図４】
2014135001.tif 000006
【図５】
2014135001.tif 000007
【図６】
2014135001.tif 000008
【図７】
2014135001.tif 000009
【図８】
2014135001.tif 000010
【図９】
2014135001.tif 000011
【図１０】
2014135001.tif 000012